(57)【要約】【課題】広角でズーム比が大きく、合成プリズム等を挿入するための充分長いバックフォーカスを確保しつつ、特に倍率色収差を大幅に低減しうる投写用ズームレンズおよび投写型表示装置を提供する。【解決手段】複数のレンズ群のうち２つ以上のレンズ群を移動させて変倍操作を行う投写用ズームレンズにおいて、縮小側がテレセントリックな系に構成され、また、最も拡大側の第１群Ｇ１は、全体として負の屈折力を有し、変倍の際には固定とされ、縮小側に凹面を向けた負レンズおよび縮小側に凹面を向けた負のメニスカスレンズを互いに接合してなる負の接合レンズを備えている。好ましくは、この接合レンズの拡大側または縮小側に、非球面レンズを配設する。【選択図】    図１
2011100080.tif 000002
【特許請求の範囲】
【請求項１】
複数のレンズ群のうち少なくとも２群を移動させて変倍操作を行う投写用ズームレンズにおいて、
縮小側がテレセントリックな系に構成されるとともに、
最も拡大側のレンズ群は、全体として負の屈折力を有してなり、変倍の際には固定とされ、縮小側に凹面を向けた負レンズおよび縮小側に凹面を向けた負のメニスカスレンズを互いに接合してなる負の接合レンズを備えていることを特徴とする投写用ズームレンズ。
【請求項２】
下記条件式（１）を満足することを特徴とする請求項１記載の投写用ズームレンズ。
２５  ≦  νd2−νd1・・・・（１）
ただし、
νd1：前記接合レンズのうち拡大側のレンズのアッベ数
νd2：前記接合レンズのうち縮小側のレンズのアッベ数
【請求項３】
下記条件式（２）を満足することを特徴とする請求項１または２記載の投写用ズームレンズ。
０．１０  ≦  ｎd2−ｎd1・・・・（２）
ただし、
ｎd1：前記接合レンズのうち拡大側のレンズの屈折率
ｎd2：前記接合レンズのうち縮小側のレンズの屈折率
【請求項４】
下記条件式（３）を満足することを特徴とする請求項１〜３のうちいずれか１項記載の投写用ズームレンズ。
１．０  ≦  ｆｃ  ／  ｆ１  ≦  ５．０・・・・（３）
ただし、
ｆｃ：前記接合レンズの焦点距離
ｆ１：前記最も拡大側のレンズ群の焦点距離
【請求項５】
前記最も拡大側のレンズ群は、少なくとも１枚の非球面レンズを有し、
下記条件式（４）を満足することを特徴とする請求項１〜４のうちいずれか１項記載の投写用ズームレンズ。
４．０≦  |ｆａｓ|  ／  ｆｗ・・・（４）
ただし、
ｆａｓ：前記非球面レンズの焦点距離
ｆｗ：広角端における全系の焦点距離
【請求項６】
前記最も拡大側のレンズ群は、非球面レンズ、２枚のレンズを接合してなる前記接合レンズ、および両凹レンズの４枚のレンズにより構成されてなることを特徴とする請求項１〜５のうちいずれか１項記載の投写用ズームレンズ。
【請求項７】
前記接合レンズの拡大側または縮小側に隣接させて非球面レンズを配してなることを特徴とする請求項１〜５のうちいずれか１項記載の投写用ズームレンズ。
【請求項８】
拡大側から順に、負の屈折力を有する第１レンズ群、正の屈折力を有する第２レンズ群、正の屈折力を有する第３レンズ群、負の屈折力を有する第４レンズ群、正の屈折力を有する第５レンズ群、正の屈折力を有する第６レンズ群を配設してなり、
変倍時には、６つの前記レンズ群のうち、前記第２レンズ群から前記第５レンズ群までの４つのレンズ群が光軸に沿って移動可能に構成されてなることを特徴とする請求項１〜７のうちいずれか１項記載の投写用ズームレンズ。
【請求項９】
拡大側から順に、負の屈折力を有する第１レンズ群、正の屈折力を有する第２レンズ群、正の屈折力を有する第３レンズ群、正の屈折力を有する第４レンズ群、正の屈折力を有する第５レンズ群を配設してなり、
変倍時には、５つの前記レンズ群のうち、前記第２レンズ群から前記第４レンズ群までの３つのレンズ群が光軸に沿って移動可能に構成されてなることを特徴とする請求項１〜７のうちいずれか１項記載の投写用ズームレンズ。
【請求項１０】
光源と、ライトバルブと、該光源からの光束を該ライトバルブへ導く照明光学部と、請求項１〜９のうちいずれか１項記載の投写用ズームレンズであって、かつ縮小側がテレセントリックとされてなる投写用ズームレンズとを備え、前記光源からの光束を前記ライトバルブで光変調し、前記投写用ズームレンズによりスクリーンに投写することを特徴とする投写型表示装置。
【発明の詳細な説明】
【技術分野】
【０００１】
本発明は、投写用ズームレンズおよびその投写用ズームレンズを搭載した投写型表示装置に関するものである。
【背景技術】
【０００２】
近年、透過型や反射型の液晶表示装置、ＤＭＤ表示装置等の各種ライトバルブを用いた比較的バックフォーカスの長い投写型表示装置が広く普及し、かつ高性能化してきている。
【０００３】
その投写型表示装置に用いられる投写レンズとしては、スクリーン上での画像のサイズを変えることができるズームレンズが用いられることが多く、最近では、その変化の割合の大きなもの、すなわちズーム比が大きいズームレンズが求められるようになってきている。
【０００４】
また、投写される画像の中心を投写型表示装置に対して、例えば上方にずらすレンズシフト機能や、投写型表示装置から近い位置に大きな画像を投写し得るワイド化機能が要求されるようになっているが、そのためにズームレンズの広角化が必要となる。
【０００５】
また、ライトバルブを複数用いた光学系等では、各ライトバルブからの各色光束を合成する合成プリズムを挿入するスペースが必要となるため、長いバックフォーカスが要求されている。
【０００６】
従来、この種の投写型ズームレンズとしては、例えば、下記特許文献１に記載されているものが知られている。
【先行技術文献】
【特許文献】
【０００７】
【特許文献１】特開２００５−１０６９４８号公報
【発明の概要】
【発明が解決しようとする課題】
【０００８】
しかしながら、上記特許文献１に記載のものでは、ズーム比は１．５倍以上と比較的大きい値が確保されているものの、画角に関しては、近年の広角化の要望に応えたものとはされていない。
【０００９】
また、近年、ライトバルブの小型化、画素の高精細化が進み、投写用ズームレンズには、倍率色収差のより一層の低減が求められているが、上記特許文献１に記載のものでは不十分である。特に、倍率色収差は画像品質を決定する大きな要因であり、倍率色収差がライトバルブの画素の半分以上になると、投写された画像品質は著しく損なわれるため、実用上の支障が発生する場合もある。
【００１０】
本発明は、このような事情に鑑みなされたもので、広角でズーム比が大きく、合成プリズム等を挿入するための充分長いバックフォーカスを確保しつつ、特に倍率色収差を大幅に低減しうる投写用ズームレンズおよび投写型表示装置を提供することを目的とするものである。
【課題を解決するための手段】
【００１１】
本発明の第１の投写用ズームレンズは、
複数のレンズ群のうち少なくとも２群を移動させて変倍操作を行う投写用ズームレンズにおいて、
縮小側がテレセントリックな系に構成されるとともに、
最も拡大側のレンズ群は、全体として負の屈折力を有してなり、変倍の際には固定とされ、縮小側に凹面を向けた負レンズおよび縮小側に凹面を向けた負のメニスカスレンズを互いに接合してなる負の接合レンズを備えていることを特徴とするものである。
【００１２】
また、本発明の第２の投写用ズームレンズは、前記第１の投写用ズームレンズにおいて、
下記条件式（１）を満足することを特徴とするものである。
２５  ≦  νd2−νd1・・・・（１）
ただし、
νd1：前記接合レンズのうち拡大側のレンズのアッベ数
νd2：前記接合レンズのうち縮小側のレンズのアッベ数
【００１３】
また、本発明の第３の投写用ズームレンズは、前記第１または第２の投写用ズームレンズにおいて、
下記条件式（２）を満足することを特徴とするものである。
０．１０  ≦  ｎd2−ｎd1・・・・（２）
ただし、
ｎd1：前記接合レンズのうち拡大側のレンズの屈折率
ｎd2：前記接合レンズのうち縮小側のレンズの屈折率
【００１４】
また、本発明の第４の投写用ズームレンズは、前記第１〜３の投写用ズームレンズのうちいずれか１の投写用ズームレンズにおいて、
下記条件式（３）を満足することを特徴とするものである。
１．０  ≦  ｆｃ  ／  ｆ１  ≦  ５．０・・・・（３）
ただし、
ｆｃ：前記接合レンズの焦点距離
ｆ１：前記最も拡大側のレンズ群の焦点距離
【００１５】
また、本発明の第５の投写用ズームレンズは、前記第１〜４の投写用ズームレンズのうちいずれか１の投写用ズームレンズにおいて、
前記最も拡大側のレンズ群が、少なくとも１枚の非球面レンズを有し、
下記条件式（４）を満足することを特徴とするものである。
４．０≦  ｜ｆａｓ｜  ／  ｆｗ・・・（４）
ただし、
ｆａｓ：前記非球面レンズの焦点距離
ｆｗ：広角端における全系の焦点距離
【００１６】
また、本発明の第６の投写用ズームレンズは、前記第１〜５の投写用ズームレンズのうちいずれか１の投写用ズームレンズにおいて、
前記最も拡大側のレンズ群は、非球面レンズ、２枚のレンズを接合してなる前記接合レンズ、および両凹レンズの４枚のレンズにより構成されてなることを特徴とするものである。
【００１７】
また、本発明の第７の投写用ズームレンズは、前記第１〜５の投写用ズームレンズのうちいずれか１の投写用ズームレンズにおいて、前記接合レンズの拡大側または縮小側に隣接させて非球面レンズを配してなることを特徴とするものである。
【００１８】
また、本発明の第８の投写用ズームレンズは、前記第１〜７の投写用ズームレンズのうちいずれか１の投写用ズームレンズにおいて、
拡大側から順に、負の屈折力を有する第１レンズ群、正の屈折力を有する第２レンズ群、正の屈折力を有する第３レンズ群、負の屈折力を有する第４レンズ群、正の屈折力を有する第５レンズ群および正の屈折力を有する第６レンズ群を配設してなり、
変倍時には、６つの前記レンズ群のうち、前記第２レンズ群から前記第５レンズ群までの４つのレンズ群が光軸に沿って移動可能に構成されてなることを特徴とするものである。
【００１９】
また、本発明の第９の投写用ズームレンズは、前記第１〜７の投写用ズームレンズのうちいずれか１の投写用ズームレンズにおいて、
拡大側から順に、負の屈折力を有する第１レンズ群、正の屈折力を有する第２レンズ群、正の屈折力を有する第３レンズ群、正の屈折力を有する第４レンズ群および正の屈折力を有する第５レンズ群を配設してなり、
変倍時には、５つの前記レンズ群のうち、前記第２レンズ群から前記第４レンズ群までの３つのレンズ群が光軸に沿って移動可能に構成されてなることを特徴とするものである。
【００２０】
また、本発明の投写型表示装置は、光源と、ライトバルブと、該光源からの光束を該ライトバルブへ導く照明光学部と、前記第１から第９の投写用ズームレンズのうちいずれか１の投写用ズームレンズであって、縮小側がテレセントリックとされてなる投写用ズームレンズとを備え、前記光源からの光束を前記ライトバルブで光変調し、前記投写用ズームレンズによりスクリーンに投写することを特徴とするものである。
【００２１】
なお、上記「拡大側」とは、被投写側（スクリーン側）を意味し、縮小投影する場合も、便宜的にスクリーン側を拡大側と称するものとする。一方、上記「縮小側」とは、原画像表示領域側（ライトバルブ側）を意味し、縮小投影する場合も、便宜的にライトバルブ側を縮小側と称するものとする。
【発明の効果】
【００２２】
本発明の投写用ズームレンズおよびこれを用いた投写型表示装置によれば、広角でズーム比が大きく、合成プリズム等を挿入するための充分に長いバックフォーカスを確保しつつ、特に倍率色収差を大幅に低減することができる。
【００２３】
一般に倍率色収差は、軸外光線が高い位置を通るレンズの影響を受けやすく、この位置に色消し作用をもったレンズ、あるいは接合レンズを配置することで効果的に倍率色収差を補正することが可能となる。本発明の投写用ズームレンズでは、最も拡大側のレンズ群に、縮小側に凹面を向けた負レンズと縮小側に凹面を向けた負のメニスカスレンズとを接合した全体として負の接合レンズを備えるようにしているので、軸外光線の高い位置に接合レンズを配置することができ、倍率色収差の補正効果が大きいレンズ配置とすることができる。
【００２４】
また負レンズ同士を接合した接合レンズとすることで、最も拡大側のレンズ群の負の屈折力を損なうことなく、比較的簡単に、大きな画角と長いバックフォーカスを確保することができる。
【図面の簡単な説明】
【００２５】
【図１】実施例１に係る投写用ズームレンズのレンズ構成、ならびに広角端（ワイド）および望遠端（テレ）における、各レンズ群の移動位置を示す図である。
【図２】実施例２に係る投写用ズームレンズのレンズ構成、ならびに広角端（ワイド）および望遠端（テレ）における、各レンズ群の移動位置を示す図である。
【図３】実施例３に係る投写用ズームレンズのレンズ構成、ならびに広角端（ワイド）および望遠端（テレ）における、各レンズ群の移動位置を示す図である。
【図４】実施例４に係る投写用ズームレンズのレンズ構成、ならびに広角端（ワイド）および望遠端（テレ）における、各レンズ群の移動位置を示す図である。
【図５】実施例５に係る投写用ズームレンズのレンズ構成、ならびに広角端（ワイド）および望遠端（テレ）における、各レンズ群の移動位置を示す図である。
【図６】実施例６に係る投写用ズームレンズのレンズ構成、ならびに広角端（ワイド）および望遠端（テレ）における、各レンズ群の移動位置を示す図である。
【図７】実施例７に係る投写用ズームレンズのレンズ構成、ならびに広角端（ワイド）および望遠端（テレ）における、各レンズ群の移動位置を示す図である。
【図８】実施例８に係る投写用ズームレンズのレンズ構成、ならびに広角端（ワイド）および望遠端（テレ）における、各レンズ群の移動位置を示す図である。
【図９】実施例１に係る投写用ズームレンズの、広角端（ワイド）、中間位置（ミドル）および望遠端（テレ）における各収差図である。
【図１０】実施例２に係る投写用ズームレンズの、広角端（ワイド）、中間位置（ミドル）および望遠端（テレ）における各収差図である。
【図１１】実施例３に係る投写用ズームレンズの、広角端（ワイド）、中間位置（ミドル）および望遠端（テレ）における各収差図である。
【図１２】実施例４に係る投写用ズームレンズの、広角端（ワイド）、中間位置（ミドル）および望遠端（テレ）における各収差図である。
【図１３】実施例５に係る投写用ズームレンズの、広角端（ワイド）、中間位置（ミドル）および望遠端（テレ）における各収差図である。
【図１４】実施例６に係る投写用ズームレンズの、広角端（ワイド）、中間位置（ミドル）および望遠端（テレ）における各収差図である。
【図１５】実施例７に係る投写用ズームレンズの、広角端（ワイド）、中間位置（ミドル）および望遠端（テレ）における各収差図である。
【図１６】実施例８に係る投写用ズームレンズの、広角端（ワイド）、中間位置（ミドル）および望遠端（テレ）における各収差図である。
【図１７】本実施形態に係る投写型表示装置の一部を示す概略図である。
【発明を実施するための最良の形態】
【００２６】
本発明の実施形態に係るズームレンズは、投写型表示装置に搭載される投写用ズームレンズとして用いられるものである。その要旨は、複数のレンズ群のうち少なくとも２群を移動させて変倍操作を行う投写用ズームレンズにおいて、縮小側がテレセントリックな系に構成されるとともに、最も拡大側のレンズ群は、全体として負の屈折力を有してなり、変倍の際には固定とされ、縮小側に凹面を向けた負レンズおよび縮小側に凹面を向けた負のメニスカスレンズを互いに接合してなる負の接合レンズを備えている。
【００２７】
図１は本発明の実施例１に係るズームレンズの広角端および望遠端におけるレンズ構成を示すものであり、このレンズを代表例として、以下に実施形態を詳細に説明する。
【００２８】
すなわち、本実施形態の一例は、拡大側より順に、変倍時に固定でフォーカシングを行う負の屈折力を有する第１レンズ群Ｇ１、変倍時に光軸Ｚに沿って移動する正の屈折力を有する第２レンズ群Ｇ２、正の屈折力を有する第３レンズ群Ｇ３、負の屈折力を有する第４レンズ群Ｇ４、および正の屈折力を有する第５レンズ群Ｇ５（実施例８は、正の屈折力を有する第２レンズ群Ｇ２、正の屈折力を有する第３レンズ群Ｇ３、正の屈折力を有する第４レンズ群Ｇ４）、ならびに変倍時に固定で正の屈折力を有する第６レンズ群Ｇ６（実施例８は正の屈折力を有する第５レンズ群Ｇ５）、を備えたものである。
【００２９】
また、前記第２レンズ群Ｇ２、前記第３レンズ群Ｇ３、前記第４レンズ群Ｇ４および前記第５レンズ群Ｇ５（実施例８は、第２レンズ群Ｇ２、第３レンズ群Ｇ３および第４レンズ群Ｇ４）は各々、広角端から望遠端への変倍時において、縮小側から拡大側に移動する（一旦縮小側に移動した後、拡大側に移動するものを含む（実施例８以外の各実施例では第４レンズ群Ｇ４が一旦縮小側に移動した後、拡大側に移動するように設定されている））ことが好ましい。
【００３０】
また、縮小側が略テレセントリック（テレセントリック系）となるように構成されている。
【００３１】
前述したように、最も拡大側のレンズ群である第１レンズ群Ｇ１は、全体として負の屈折力を有してなり、縮小側に凹面を向けた負レンズおよび縮小側に凹面を向けた負のメニスカスレンズを互いに接合してなる負の接合レンズを備えている。
【００３２】
このように、最も拡大側のレンズ群である第１レンズ群Ｇ１に、縮小側に凹面を向けた負レンズと縮小側に凹面を向けた負のメニスカスレンズとを接合した全体として負の接合レンズを配するようにしているので、軸外光線が高くなる位置に接合レンズを配置することができ、倍率色収差の補正効果が大きいレンズ配置とすることができる。
【００３３】
また、接合レンズを構成する上記２つのレンズは、いずれも負レンズであることから、第１レンズ群Ｇ１の負の屈折力を損なうことなく、比較的簡単に、大きな画角と長いバックフォーカスを確保することができる。
【００３４】
また、前記第４レンズ群Ｇ４は、拡大側に凹面を向けた負の単レンズ１枚からなり、また前記第５レンズ群Ｇ５は、２枚以上の正レンズと２枚以上の負レンズを有することにより構成される。
【００３５】
また、例えば、第１レンズ群Ｇ１は４枚のレンズＬ１〜Ｌ４により構成され、第２レンズ群Ｇ２は２枚のレンズＬ５、Ｌ６により構成され、第３レンズ群Ｇ３は２枚のレンズＬ７、Ｌ８により構成され、第４レンズ群Ｇ４は１枚（実施例８は７枚）のレンズＬ９により構成され、第５レンズ群Ｇ５は５枚（実施例８は１枚）のレンズＬ１０〜Ｌ１４により構成され、第６レンズ群Ｇ６は２枚（実施例８は０枚）のレンズＬ１５、Ｌ１６により構成される。
【００３６】
また、フォーカシングは、例えば、第１レンズ群Ｇ１の全体を光軸Ｚ方向に移動させることにより行なわれる。
【００３７】
なお、前記第６レンズ群Ｇ６は変倍の際に固定のリレーレンズであり、この第６レンズ群Ｇ６とライトバルブとしての画像表示面１との間には、色合成プリズム２（ローパスフィルタ等の各種フィルタを含む（以下同じ）。）が配設されている。
【００３８】
また、最も拡大側のレンズ群である第１レンズ群Ｇ１は、非球面レンズ、２枚のレンズを接合してなる接合レンズ、および両凹レンズの４枚のレンズにより構成することが好ましい。第１レンズ群Ｇ１をこのようなレンズ構成とすることにより、コンパクトな構成にて、倍率色収差を始めとする諸収差を良好なものとすることができる。
【００３９】
また、前記接合レンズの拡大側または縮小側に非球面レンズを備えていることが好ましい。このように非球面レンズを配置することにより、光線が高くなる位置において非球面レンズによる収差補正を行うことができ、ディストーション等の諸収差を効率よく低減することができる。
【００４０】
また、前記第５レンズ群Ｇ５は、拡大側から、負、正、負、正の順に並んだ４つのレンズを含んでなることが好ましい。全体として正の屈折力を有する第５レンズ群を、２枚以上の正レンズと２枚以上の負レンズを含むように構成することで、負レンズと正レンズの組合せによる色消し効果を増幅することができるとともに、広角化を図ることにより生じ得る像面湾曲（サジタル方向の像面湾曲）を効果的に補正することができる、という作用効果を奏することができる。
【００４１】
また、これら負、正、負、正の順に並んだ４つのレンズは、２組の、負と正の接合レンズを構成していることが好ましい。このように２組の負正接合レンズを配列することにより、上記色消し効果および像面湾曲の補正効果をより良好なものとすることができる。
【００４２】
また、前記第１レンズ群Ｇ１には、少なくとも１面の非球面を設けることが好ましい。これにより、光束径が大きくなる、第１レンズ群Ｇ１中に非球面が配置されることとなり、諸収差を効率よく低減することができる。
【００４３】
また、本実施形態の投写用ズームレンズは、以下の条件式（１）を満足することが好ましい。
２５  ≦  νd2−νd1・・・・（１）
ただし、
νd1：第１レンズ群Ｇ１中の接合レンズのうち拡大側のレンズのアッベ数
νd2：第１レンズ群Ｇ１中の接合レンズのうち縮小側のレンズのアッベ数
【００４４】
上記条件式（１）は、倍率色収差を効果的に補正するための式であり、この下限を下回ると、倍率色収差が過大となり補正が困難となる。
【００４５】
このような観点から、上記条件式（１）に替えて以下の条件式（１´）を満足するように構成することがより好ましい。
３０  ≦  νd2−νd1  ≦  ７０・・・・（１´）
【００４６】
また、上記条件式（１´）に替えて以下の条件式（１´´）を満足するように構成することが、さらに好ましい。
３４  ≦  νd2−νd1  ≦  ６５・・・（１´´）
【００４７】
また、本実施形態の投写用ズームレンズは、以下の条件式（２）を満足することが好ましい。
０．１０  ≦  ｎd2−ｎd1・・・・（２）
ただし、
ｎd1：第１レンズ群Ｇ１中の接合レンズのうち拡大側のレンズの屈折率
ｎd2：第１レンズ群Ｇ１中の接合レンズのうち縮小側のレンズの屈折率
【００４８】
この条件式（２）は、接合された２つのレンズのうち、縮小側のレンズの屈折率と拡大側のレンズの屈折率との差を規定するものであり、この下限を下回ると、２つのレンズの屈折率の差が小さくなることで、レンズ同士の境界面上での光線の折り曲げ角が小さくなり、軸外収差を良好に補正することが困難となる。
【００４９】
このような観点から、上記条件式（２）に替えて以下の条件式（２´）を満足するように構成することがより好ましい。
０．１５  ≦  ｎd2−ｎd1・・・・(２´)
【００５０】
また、本実施形態の投写用ズームレンズは、以下の条件式（３）を満足することが好ましい。
１．０  ≦  ｆｃ  ／  ｆ１  ≦  ５．０・・・・（３）
ただし、
ｆｃ：第１レンズ群Ｇ１中の接合レンズの焦点距離
ｆ１：第１レンズ群Ｇ１の焦点距離
【００５１】
この条件式（３）は、第１レンズ群Ｇ１中の接合レンズの屈折力と第１レンズ群Ｇ１全体の屈折力の差を規定するための式であり、この上限を上回ると、接合レンズの負の屈折力が弱くなりすぎて、第１レンズ群Ｇ１のレンズ径を大きくせざるを得ず、これによりレンズ系全体の大型化につながる。一方、この下限を下回ると、接合レンズの負の屈折力が強くなりすぎて、像面湾曲等の軸外収差を良好に保つのが困難になる。
【００５２】
このような観点から、上記条件式（３）に替えて以下の条件式（３´）を満足するように構成することがより好ましい。
１．３  ≦  ｆｃ  ／  ｆ１  ≦  ４．０・・・・（３´）
【００５３】
また、本実施形態の投写用ズームレンズは、以下の条件式（４）を満足することが好ましい。
４．０≦  ｜ｆａｓ｜  ／  ｆｗ・・・（４）
ただし、
ｆａｓ：第１レンズ群Ｇ１中の非球面レンズの焦点距離
ｆｗ：広角端における全系の焦点距離
【００５４】
条件式（４）の下限を下回ると、非球面レンズのパワーが強くなりすぎて、プラスチックなどの、温度変化に伴う収差変動が大きな材質を使用することが難しくなるので、コストや軽量化の点で不利となる。
【００５５】
このような観点から、上記条件式（４）に替えて以下の条件式（４ａ´）または条件式（４ｂ´）を満足するように構成することがより好ましい。
接合レンズの拡大側に非球面レンズを配置する場合
３０．０≦  ｜ｆａｓ｜  ／  ｆｗ・・・・（４ａ´）
接合レンズの縮小側に非球面レンズを配置する場合
５．０≦  ｜ｆａｓ｜  ／  ｆｗ・・・・（４ｂ´）
【００５６】
次に、本発明に係る投写型表示装置の実施形態について簡単に説明しておく。図１７は本実施形態に係る投写型表示装置の概略構成図である。
【００５７】
図１７に示す投写型表示装置は、ライトバルブとして透過型液晶パネル１１ａ〜１１ｃを備え、投写用レンズ１０として上述した実施形態に係る投写用ズームレンズを用いている。また、光源２０とダイクロイックミラー１２の間には、フライアイ等のインテグレータ（図示を省略）が配されており、光源２０からの白色光は照明光学部を介して、３つの色光光束（Ｇ光、Ｂ光、Ｒ光）にそれぞれ対応する液晶パネル１１ａ〜１１ｃに入射されて光変調され、クロスダイクロイックプリズム１４により色合成され、投写レンズ１０により図示されないスクリーン上に投映される。この装置は、色分解のためのダイクロイックミラー１２，１３、色合成のためのクロスダイクロイックプリズム１４、コンデンサレンズ１６ａ〜１６ｃ、全反射ミラー１８ａ〜１８ｃを備えている。この投写型表示装置は、本実施形態に係る投写用ズームレンズを用いているので、広角、かつ投写画像の画質が良好であり、明るくコンパクトな投写型表示装置とすることができる。
【００５８】
なお、図１７に示す投写型表示装置は、本発明の一実施形態を示すものであって、種々の態様の変更が可能である。例えば、ライトバルブとして、透過型液晶パネルに替えて反射型の液晶パネルやＤＭＤを用いることも勿論可能である。
【実施例】
【００５９】
以下、具体的な実施例を用いて、本発明の投写用ズームレンズをさらに説明する。なお、以下に示すＲ、Ｄ等の各数値データは、広角端の焦点距離が１となるように規格化されている。
＜実施例１＞
図１は、実施例１の投写用ズームレンズにおいて、広角端（ワイド）および望遠端（テレ）における、各レンズ群の移動位置、およびその移動軌跡を示すものである。
【００６０】
このレンズにおいて、第１レンズ群Ｇ１は、拡大側から順に、パワーの弱い両面非球面レンズよりなる第１レンズＬ１と、縮小側に凹面を向けた負のメニスカスレンズよりなる第２レンズＬ２および第３レンズＬ３と、両凹レンズよりなる第４レンズＬ４からなり、第２レンズＬ２と第３レンズＬ３とは互いに接合されて接合レンズを構成している。
【００６１】
第２レンズ群Ｇ２は、拡大側から順に、両凸レンズよりなる第５レンズＬ５と、拡大側に凸面を向けた正メニスカスレンズよりなる第６レンズＬ６からなる。
【００６２】
また、第３レンズ群Ｇ３は、拡大側から順に、両凸レンズよりなる第７レンズＬ７と、縮小側に凸面を向けた負メニスカスレンズよりなる第８レンズＬ８からなり、第７レンズＬ７と第８レンズＬ８とは互いに接合されて接合レンズを構成している。
【００６３】
また、第４レンズ群Ｇ４は、両凹レンズよりなる第９レンズＬ９のみからなり、第５レンズ群Ｇ５は、拡大側から順に、拡大側に凸面を向けた負メニスカスレンズよりなる第１０レンズＬ１０と、両凸レンズよりなる第１１レンズＬ１１と、両凹レンズよりなる第１２レンズＬ１２と、両凸レンズよりなる第１３レンズＬ１３と、両凸レンズよりなる第１４レンズＬ１４からなり、第１０レンズＬ１０と第１１レンズＬ１１、および第１２レンズＬ１２と第１３レンズＬ１３は、各々互いに接合されて接合レンズを構成している。
【００６４】
また、第６レンズ群Ｇ６は、拡大側から順に、縮小側に凸面を向けた負メニスカス形状の両面非球面レンズよりなる第１５レンズＬ１５と、縮小側に凸面を向けた正メニスカスレンズよりなる第１６レンズＬ１６からなる。
【００６５】
上記第１レンズＬ１および上記第１５レンズＬ１５の両面の非球面形状は、下記に示す非球面式により規定される。
【００６６】
【数１】
2011100080.tif 000003
【００６７】
図１に示すように、変倍時において、上記第１レンズ群Ｇ１および第６レンズ群Ｇ６は固定群とされ、第２〜５レンズ群Ｇ２〜Ｇ５は移動群とされている。
【００６８】
また、縮小側は略テレセントリックとされている。
【００６９】
この投写用ズームレンズの各レンズ面の曲率半径Ｒ、各レンズの中心厚および各レンズ間の空気間隔（以下、これらを総称して軸上面間隔という）Ｄ、各レンズのｄ線における、屈折率Ｎおよびアッベ数νの値を表１に示す。なお、表中の数字は、拡大側からの順番を表すものである（以下の表３、５、７、９、１１、１３、１５において同じ）。
【００７０】
なお、表１の下段には、広角端（ワイド）、中間（ミドル）および望遠端（テレ）における各レンズ群間隔を示す（無限遠にフォーカスした時：以下の表３、５、７、９、１１、１３、１５において同じ）。また、各非球面を表す非球面係数を表２に示す。
【００７１】
【表１】
2011100080.tif 000004
【００７２】
【表２】
2011100080.tif 000005
【００７３】
実施例１の投写用ズームレンズによれば、表１７に示すように、条件式（１）〜（４）、（１´）、（１´´）、（２´）、（３´）、（４ａ´）は全て満足されている。
【００７４】
また、図９は、実施例１の投写用ズームレンズの広角端（ワイド）、中間（ミドル）および望遠端（テレ）における球面収差、非点収差、ディストーションおよび倍率色収差を示す収差図である。なお、非点収差図には、サジタル像面およびタンジェンシャル像面に対する収差が示されている（図１０〜１６において同じ）。
【００７５】
これらの収差図から明らかなように、実施例１の投写用ズームレンズによれば、ズーミングに伴う球面収差、非点収差を始めとする諸収差の変動量を極めて小さくすることができるとともに、諸収差を極めて良好に補正することができる。
【００７６】
＜実施例２＞
図２は、実施例２の投写用ズームレンズにおいて、広角端（ワイド）および望遠端（テレ）における、各レンズ群の移動位置、およびその移動軌跡を示すものである。
【００７７】
この投写用ズームレンズは、基本的には上記実施例１のものと略同様の６群構成とされているが、第１レンズ群Ｇ１を構成する第２レンズＬ２が、縮小側に凹面を向けた平凹レンズとされている点、第２レンズ群Ｇ２を構成する第６レンズＬ６が両凸レンズとされている点、第５レンズ群Ｇ５が、拡大側から順に、縮小側に凸面を向けた正メニスカス形状の両面非球面レンズよりなる第１０レンズＬ１０と、拡大側に凸面を向けた負メニスカスレンズよりなる第１１レンズＬ１１と、両凸レンズよりなる第１２レンズＬ１２と、両凹レンズよりなる第１３レンズＬ１３と、両凸レンズよりなる第１４レンズＬ１４と、両凸レンズよりなる第１５レンズＬ１５からなり、第１１レンズＬ１１と第１２レンズＬ１２、および第１３レンズＬ１３と第１４レンズＬ１４が、各々互いに接合されて接合レンズを構成している点、において上記実施例１のものと各々相違する。
【００７８】
図２に示すように上記実施例１のものと略同様に、変倍時において、第１レンズ群Ｇ１および第６レンズ群Ｇ６は固定群とされ、第２〜５レンズ群Ｇ２〜Ｇ５は移動群とされている。
【００７９】
また、縮小側は略テレセントリックとされている。
【００８０】
この投写用ズームレンズの各レンズ面の曲率半径Ｒ、各レンズの軸上面間隔Ｄ、各レンズのｄ線における、屈折率Ｎおよびアッベ数νの値を表３に示す。
【００８１】
なお、表３の下段には、広角端（ワイド）、中間（ミドル）および望遠端（テレ）における各レンズ群間隔を示す。また、各非球面を表す非球面係数を表４に示す。
【００８２】
【表３】
2011100080.tif 000006
【００８３】
【表４】
2011100080.tif 000007
【００８４】
実施例２の投写用ズームレンズによれば、表１７に示すように、条件式（１）〜（４）、（１´）、（１´´）、（２´）、（３´）、（４ａ´）は全て満足されている。
【００８５】
また、図１０は、実施例２の投写用ズームレンズの広角端（ワイド）、中間（ミドル）および望遠端（テレ）における球面収差、非点収差、ディストーションおよび倍率色収差を示す収差図である。
【００８６】
これらの収差図から明らかなように、実施例２の投写用ズームレンズによれば、ズーミングに伴う球面収差、非点収差を始めとする諸収差の変動量を極めて小さくすることができるとともに、諸収差を極めて良好に補正することができる。
【００８７】
＜実施例３＞
図３は、実施例３の投写用ズームレンズにおいて、広角端（ワイド）および望遠端（テレ）における、各レンズ群の移動位置、およびその移動軌跡を示すものである。
【００８８】
この投写用ズームレンズは、基本的には上記実施例１のものと略同様の６群構成とされているが、第１レンズ群Ｇ１を構成する第２レンズＬ２が、両凹レンズよりなる点において、また第２レンズ群Ｇ２が、両凸レンズよりなる第５レンズＬ５のみからなる点において、また、第５レンズ群Ｇ５が、拡大側から順に、縮小側に凸面を向けた正メニスカス形状の両面非球面レンズよりなる第９レンズＬ９と、拡大側に凸面を向けた負メニスカスレンズよりなる第１０レンズＬ１０と、両凸レンズよりなる第１１レンズＬ１１と、両凹レンズよりなる第１２レンズＬ１２と、両凸レンズよりなる第１３レンズＬ１３と、両凸レンズよりなる第１４レンズＬ１４からなり、第１０レンズＬ１０と第１１レンズＬ１１、および第１２レンズＬ１２と第１３レンズＬ１３が、各々互いに接合されて接合レンズを構成している点、において上記実施例１のものと各々相違する。
【００８９】
図３に示すように上記実施例１のものと略同様に、変倍時において、第１レンズ群Ｇ１および第６レンズ群Ｇ６は固定群とされ、第２〜５レンズ群Ｇ２〜Ｇ５は移動群とされている。
【００９０】
また、縮小側は略テレセントリックとされている。
【００９１】
この投写用ズームレンズの各レンズ面の曲率半径Ｒ、各レンズの軸上面間隔Ｄ、各レンズのｄ線における、屈折率Ｎおよびアッベ数νの値を表５に示す。
【００９２】
なお、表５の下段には、広角端（ワイド）、中間（ミドル）および望遠端（テレ）における各レンズ群間隔を示す。また、各非球面を表す非球面係数を表６に示す。
【００９３】
【表５】
2011100080.tif 000008
【００９４】
【表６】
2011100080.tif 000009
【００９５】
実施例３の投写用ズームレンズによれば、表１７に示すように、条件式（１）〜（４）、（１´）、（１´´）、（２´）、（３´）、（４ａ´）は全て満足されている。
【００９６】
また、図１１は、実施例３の投写用ズームレンズの広角端（ワイド）、中間（ミドル）および望遠端（テレ）における球面収差、非点収差、ディストーションおよび倍率色収差を示す収差図である。
【００９７】
これらの収差図から明らかなように、実施例３の投写用ズームレンズによれば、ズーミングに伴う球面収差、非点収差を始めとする諸収差の変動量を極めて小さくすることができるとともに、諸収差を極めて良好に補正することができる。
【００９８】
＜実施例４＞
図４は、実施例４の投写用ズームレンズにおいて、広角端（ワイド）および望遠端（テレ）における、各レンズ群の移動位置、およびその移動軌跡を示すものである。
【００９９】
この投写用ズームレンズは、基本的には上記実施例１のものと略同様の６群構成とされているが、第１レンズ群Ｇ１を構成する第２レンズＬ２が、縮小側に凹面を向けた平凹レンズとされている点、第６レンズ群Ｇ６を構成するレンズのうち、第１５レンズＬ１５が縮小側に凸面を向けた正メニスカスレンズよりなる一方、第１６レンズＬ１６が両面非球面レンズよりなる点、において上記実施例１のものと各々相違する。
【０１００】
図４に示すように上記実施例１のものと略同様に、変倍時において、第１レンズ群Ｇ１および第６レンズ群Ｇ６は固定群とされ、第２〜５レンズ群Ｇ２〜Ｇ５は移動群とされている。
【０１０１】
また、縮小側は略テレセントリックとされている。
【０１０２】
この投写用ズームレンズの各レンズ面の曲率半径Ｒ、各レンズの軸上面間隔Ｄ、各レンズのｄ線における、屈折率Ｎおよびアッベ数νの値を表７に示す。
【０１０３】
なお、表７の下段には、広角端（ワイド）、中間（ミドル）および望遠端（テレ）における各レンズ群間隔を示す。また、各非球面を表す非球面係数を表８に示す。
【０１０４】
【表７】
2011100080.tif 000010
【０１０５】
【表８】
2011100080.tif 000011
【０１０６】
実施例４の投写用ズームレンズによれば、表１７に示すように、条件式（１）〜（４）、（１´）、（１´´）、（２´）、（３´）、（４ａ´）は全て満足されている。
【０１０７】
また、図１２は、実施例４の投写用ズームレンズの広角端（ワイド）、中間（ミドル）および望遠端（テレ）における球面収差、非点収差、ディストーションおよび倍率色収差を示す収差図である。
【０１０８】
これらの収差図から明らかなように、実施例４の投写用ズームレンズによれば、ズーミングに伴う球面収差、非点収差を始めとする諸収差の変動量を極めて小さくすることができるとともに、諸収差を極めて良好に補正することができる。
【０１０９】
＜実施例５＞
図５は、実施例５の投写用ズームレンズにおいて、広角端（ワイド）および望遠端（テレ）における、各レンズ群の移動位置、およびその移動軌跡を示すものである。
【０１１０】
この投写用ズームレンズは、基本的には上記実施例２のものと略同様の６群構成とされているが、第５レンズ群Ｇ５を構成する第１１レンズＬ１１が、両凹レンズからなる点、および第６レンズ群Ｇ６が拡大側に凸面を向けた平凸レンズよりなる第１６レンズＬ１６のみからなる点、において上記実施例２のものと各々相違する。
【０１１１】
図５に示すように上記実施例１のものと略同様に、変倍時において、第１レンズ群Ｇ１および第６レンズ群Ｇ６は固定群とされ、第２〜５レンズ群Ｇ２〜Ｇ５は移動群とされている。
【０１１２】
また、縮小側は略テレセントリックとされている。
【０１１３】
この投写用ズームレンズの各レンズ面の曲率半径Ｒ、各レンズの軸上面間隔Ｄ、各レンズのｄ線における、屈折率Ｎおよびアッベ数νの値を表９に示す。
【０１１４】
なお、表９の下段には、広角端（ワイド）、中間（ミドル）および望遠端（テレ）における各レンズ群間隔を示す。また、各非球面を表す非球面係数を表１０に示す。
【０１１５】
【表９】
2011100080.tif 000012
【０１１６】
【表１０】
2011100080.tif 000013
【０１１７】
実施例５の投写用ズームレンズによれば、表１７に示すように、条件式（１）〜（４）、（１´）、（１´´）、（２´）、（３´）、（４ａ´）は全て満足されている。
【０１１８】
また、図１３は、実施例５の投写用ズームレンズの広角端（ワイド）、中間（ミドル）および望遠端（テレ）における球面収差、非点収差、ディストーションおよび倍率色収差を示す収差図である。
【０１１９】
これらの収差図から明らかなように、実施例５の投写用ズームレンズによれば、ズーミングに伴う球面収差、非点収差を始めとする諸収差の変動量を極めて小さくすることができるとともに、諸収差を極めて良好に補正することができる。
【０１２０】
＜実施例６＞
図６は、実施例６の投写用ズームレンズにおいて、広角端（ワイド）および望遠端（テレ）における、各レンズ群の移動位置、およびその移動軌跡を示すものである。
【０１２１】
この投写用ズームレンズは、基本的には上記実施例１のものと略同様の６群構成とされているが、第１レンズ群Ｇ１を構成する第２レンズＬ２が、両凹レンズよりなる点において、また第２レンズ群Ｇ２を構成する第６レンズＬ６が両凸レンズよりなる点において、第５レンズ群Ｇ５を構成する第１３レンズＬ１３が、縮小側に凸面を向けた正メニスカスレンズよりなる点において、および第６レンズ群Ｇ６が、両凸レンズよりなる第１５レンズＬ１５のみからなる点において、上記実施例１のものと各々相違する。
【０１２２】
図６に示すように上記実施例１のものと略同様に、変倍時において、第１レンズ群Ｇ１および第６レンズ群Ｇ６は固定群とされ、第２〜５レンズ群Ｇ２〜Ｇ５は移動群とされている。
【０１２３】
また、縮小側は略テレセントリックとされている。
【０１２４】
この投写用ズームレンズの各レンズ面の曲率半径Ｒ、各レンズの軸上面間隔Ｄ、各レンズのｄ線における、屈折率Ｎおよびアッベ数νの値を表１１に示す。
【０１２５】
なお、表１１の下段には、広角端（ワイド）、中間（ミドル）および望遠端（テレ）における各レンズ群間隔を示す。また、各非球面を表す非球面係数を表１２に示す。
【０１２６】
【表１１】
2011100080.tif 000014
【０１２７】
【表１２】
2011100080.tif 000015
【０１２８】
実施例６の投写用ズームレンズによれば、表１７に示すように、条件式（１）〜（４）、（１´）、（１´´）、（２´）、（３´）、（４ａ´）は全て満足されている。
【０１２９】
また、図１４は、実施例６の投写用ズームレンズの広角端（ワイド）、中間（ミドル）および望遠端（テレ）における球面収差、非点収差、ディストーションおよび倍率色収差を示す収差図である。
【０１３０】
これらの収差図から明らかなように、実施例６の投写用ズームレンズによれば、ズーミングに伴う球面収差、非点収差を始めとする諸収差の変動量を極めて小さくすることができるとともに、諸収差を極めて良好に補正することができる。
＜実施例７＞
図７は、実施例７の投写用ズームレンズにおいて、広角端（ワイド）および望遠端（テレ）における、各レンズ群の移動位置、およびその移動軌跡を示すものである。
【０１３１】
この投写用ズームレンズは、基本的には上記実施例６のものと略同様の６群構成とされているが、第１レンズ群Ｇ１が、拡大側から順に、縮小側に凹面を向けた負メニスカスレンズよりなる第１レンズＬ１と、縮小側に凹面を向けた負メニスカスレンズよりなる第２レンズＬ２と、両面非球面レンズよりなる第３レンズＬ３と、両凹レンズよりなる第４レンズＬ４からなり、かつ第１レンズＬ１と第２レンズＬ２が互いに接合されて接合レンズを構成しており、この接合レンズの縮小側に非球面レンズＬ３が配されている点において、また、第５レンズ群Ｇ５を構成する第１２レンズＬ１２が両凹レンズよりなる一方、第１３レンズＬ１３が両凸レンズよりなる点において、上記実施例６のものと各々相違する。
【０１３２】
図７に示すように上記実施例１のものと略同様に、変倍時において、第１レンズ群Ｇ１および第６レンズ群Ｇ６は固定群とされ、第２〜５レンズ群Ｇ２〜Ｇ５は移動群とされている。
【０１３３】
また、縮小側は略テレセントリックとされている。
【０１３４】
この投写用ズームレンズの各レンズ面の曲率半径Ｒ、各レンズの軸上面間隔Ｄ、各レンズのｄ線における、屈折率Ｎおよびアッベ数νの値を表１３に示す。
【０１３５】
なお、表１３の下段には、広角端（ワイド）、中間（ミドル）および望遠端（テレ）における各レンズ群間隔を示す。また、各非球面を表す非球面係数を表１４に示す。
【０１３６】
【表１３】
2011100080.tif 000016
【０１３７】
【表１４】
2011100080.tif 000017
【０１３８】
実施例７の投写用ズームレンズによれば、表１７に示すように、条件式（１）〜（４）、（１´）、（１´´）、（２´）、（３´）、（４ａ´）は全て満足されている。
【０１３９】
また、図１５は、実施例７の投写用ズームレンズの広角端（ワイド）、中間（ミドル）および望遠端（テレ）における球面収差、非点収差、ディストーションおよび倍率色収差を示す収差図である。
【０１４０】
これらの収差図から明らかなように、実施例７の投写用ズームレンズによれば、ズーミングに伴う球面収差、非点収差を始めとする諸収差の変動量を極めて小さくすることができるとともに、諸収差を極めて良好に補正することができる。
【０１４１】
＜実施例８＞
図８は、実施例８の投写用ズームレンズにおいて、広角端（ワイド）および望遠端（テレ）における、各レンズ群の移動位置、およびその移動軌跡を示すものである。
【０１４２】
この投写用ズームレンズは、上述した実施例とは異なり５群構成とされている。
【０１４３】
このレンズにおいて、第１レンズ群Ｇ１は、拡大側から順に、パワーの弱い両面非球面レンズよりなる第１レンズＬ１と、両凹レンズよりなる第２レンズＬ２と、縮小側に凹面を向けた負のメニスカスレンズよりなる第３レンズＬ３と、両凹レンズよりなる第４レンズＬ４からなり、第２レンズＬ２と第３レンズＬ３とは互いに接合されて接合レンズを構成している。
【０１４４】
第２レンズ群Ｇ２は、拡大側から順に、両凸レンズよりなる第５レンズＬ５と、両凸レンズよりなる第６レンズＬ６からなる。
【０１４５】
また、第３レンズ群Ｇ３は、拡大側から順に、両凸レンズよりなる第７レンズＬ７と、縮小側に凸面を向けた負メニスカスレンズよりなる第８レンズＬ８からなり、第７レンズＬ７と第８レンズＬ８とは互いに接合されて接合レンズを構成している。
【０１４６】
また、第４レンズ群Ｇ４は、拡大側から順に、拡大側に凹面を向けた負メニスカスレンズよりなる第９レンズＬ９と、拡大側に凹面を向けた正メニスカス形状の両面非球面レンズよりなる第１０レンズＬ１０と、拡大側に凸面を向けた負メニスカスレンズよりなる第１１レンズＬ１１と、両凸レンズよりなる第１２レンズＬ１２と、両凹レンズよりなる第１３レンズＬ１３と、両凸レンズよりなる第１４レンズＬ１４と、両凸レンズよりなる第１５レンズＬ１５からなり、第１１レンズＬ１１と第１２レンズＬ１２、および第１３レンズＬ１３と第１４レンズＬ１４は、各々互いに接合されて接合レンズを構成している。
【０１４７】
また、第５レンズ群Ｇ５は、両凸レンズよりなる第１６レンズＬ１６のみからなる。
【０１４８】
また、図８に示すように、変倍時において、第１レンズ群Ｇ１および第５レンズ群Ｇ５は固定群とされ、第２〜４レンズ群Ｇ２〜Ｇ４は移動群とされている。
【０１４９】
また、縮小側は略テレセントリックとされている。
【０１５０】
この投写用ズームレンズの各レンズ面の曲率半径Ｒ、各レンズの軸上面間隔Ｄ、各レンズのｄ線における、屈折率Ｎおよびアッベ数νの値を表１５に示す。
【０１５１】
なお、表１５の下段には、広角端（ワイド）、中間（ミドル）および望遠端（テレ）における各レンズ群間隔を示す。また、各非球面を表す非球面係数を表１６に示す。
【０１５２】
【表１５】
2011100080.tif 000018
【０１５３】
【表１６】
2011100080.tif 000019
【０１５４】
実施例８の投写用ズームレンズによれば、表１７に示すように、条件式（１）〜（４）、（１´）、（１´´）、（２´）、（３´）、（４ｂ´）は全て満足されている。
【０１５５】
また、図１６は、実施例８の投写用ズームレンズの広角端（ワイド）、中間（ミドル）および望遠端（テレ）における球面収差、非点収差、ディストーションおよび倍率色収差を示す収差図である。
【０１５６】
これらの収差図から明らかなように、実施例８の投写用ズームレンズによれば、ズーミングに伴う球面収差、非点収差を始めとする諸収差の変動量を極めて小さくすることができるとともに、諸収差を極めて良好に補正することができる。
【０１５７】
【表１７】
2011100080.tif 000020
【０１５８】
なお、本発明の投写用ズームレンズとしては、上記実施例のものに限られるものではなく種々の態様の変更が可能であり、例えば各レンズの曲率半径Ｒおよび軸上面間隔Ｄを適宜変更することが可能である。
【０１５９】
また、本発明の投写型表示装置としても、上記構成のものに限られるものではなく、本発明の投写用ズームレンズを備えた種々の装置構成が可能である。ライトバルブとしては、例えば、透過型または反射型の液晶表示素子や、傾きを変えることができる微小な鏡が略平面上に多数形成された微小ミラー素子（例えば、テキサス・インスツルメント社製のデジタル・マイクロミラー・デバイス）を用いることができる。また、照明光学系としても、ライトバルブの種類に対応した適切な構成を採用することができる。
【符号の説明】
【０１６０】
１    画像表示面
２    色合成プリズム
１０    投写用ズームレンズ
１１ａ〜１１ｃ    透過型液晶パネル
１２，１３    ダイクロイックミラー
１８ａ〜１８ｃ    全反射ミラー
２０    光源
Ｇ１〜Ｇ６    レンズ群
Ｌ１〜Ｌ１７    レンズ
Ｒ１〜Ｒ３２    レンズ面等の曲率半径
Ｄ１〜Ｄ３１    軸上面間隔
Ｚ    光軸
【図１】
2011100080.tif 000021
【図２】
2011100080.tif 000022
【図３】
2011100080.tif 000023
【図４】
2011100080.tif 000024
【図５】
2011100080.tif 000025
【図６】
2011100080.tif 000026
【図７】
2011100080.tif 000027
【図８】
2011100080.tif 000028
【図９】
2011100080.tif 000029
【図１０】
2011100080.tif 000030
【図１１】
2011100080.tif 000031
【図１２】
2011100080.tif 000032
【図１３】
2011100080.tif 000033
【図１４】
2011100080.tif 000034
【図１５】
2011100080.tif 000035
【図１６】
2011100080.tif 000036
【図１７】
2011100080.tif 000037